(57)【要約】【課題】表示範囲（表示有効画面領域）を超える表示対象データを表示する際の操作性の向上をはかる。【解決手段】表示対象データを表示画面に表示する表示部１４と、表示対象データのうち表示画面に表示された表示範囲が一部である場合に、表示対象データから表示範囲を選択操作する第１の操作部（操作部１２）と、所定長さの移動可能範囲を移動可能であり、表示対象データから前記表示範囲を選択操作する第２の操作部（スライダ１６）と、第１の操作部の選択操作による表示範囲の移動と、第２の操作部の選択操作による表示範囲の移動とを連動させる制御部１８と、により携帯表示機器（携帯電話１０）を構成した。【選択図】図１
2009237681.tif 000002
【特許請求の範囲】
【請求項１】
表示対象データを表示画面に表示する表示部と、
前記表示対象データのうち前記表示画面に表示された表示範囲が一部である場合に、前記表示対象データから前記表示範囲を選択操作する第１の操作部と、
所定長さの移動可能範囲を移動可能であり、前記表示対象データから前記表示範囲を選択操作する第２の操作部と、
前記第１の操作部の選択操作による前記表示範囲の移動と、前記第２の操作部の選択操作による前記表示範囲の移動とを連動させる制御部と、
を備えた表示機器。
【請求項２】
前記制御部は、
前記第２の操作部の移動範囲における位置と、前記表示範囲の前記表示対象データにおける位置とが対応していない場合において、
前記第２の操作部による移動操作により当該第２の操作部の移動操作位置が前記表示範囲の前記表示対象データにおける位置と対応した後、前記第２の操作部の移動操作に前記表示範囲の移動を連動させる制御を行う
請求項１に記載の表示機器。
【請求項３】
前記制御部は、
前記第２の操作部の移動範囲における位置と、前記表示範囲の前記表示対象データにおける位置とが対応していない場合において、
前記第２の操作部による移動操作により、当該第２の操作部の移動操作位置に前記表示範囲の位置を対応させる制御を行う
請求項１または請求項２に記載の表示機器。
【請求項４】
第３の操作部を更に備え、
前記制御部は、
前記第２の操作部の移動範囲における位置と、前記表示範囲の前記表示対象データにおける位置とが対応していない場合において、
前記第３の操作部による操作を検知すると、前記第２の操作部の移動操作位置に前記表示範囲の位置を対応させる制御を行う
請求項１または請求項２に記載の表示機器。
【請求項５】
前記制御部は、
前記第２の操作部の移動範囲における位置と、前記表示範囲の前記表示対象データにおける位置とが対応していない場合において、
前記第１の操作部による選択操作を検知すると、前記表示範囲の位置に前記第２の操作部の移動操作位置を対応させる制御を行う
請求項１から請求項４のいずれか１項に記載の表示機器。
【請求項６】
前記制御部は、
前記第２の操作部の移動範囲における位置と、前記表示範囲の前記表示対象データにおける位置とが対応していない場合において、
前記第２の操作部による移動操作により、前記表示部に、前記第２の操作部による移動操作位置と前記表示範囲の位置との対応状態を示す案内表示を行う
請求項１から請求項５のいずれか１項に記載の表示機器。
【請求項７】
前記制御部は、
前記第２の操作部の移動範囲における位置と前記表示範囲の前記表示対象データにおける位置とが対応していない場合に前記第２の操作部の移動操作位置に前記表示範囲の位置を対応させるにあたり、前記第２の操作部による移動操作に対する前記表示範囲の移動速度を反対方向に向かう移動操作に対する前記表示範囲の移動速度に比して高速に表示制御する
請求項１から請求項６のいずれか１項に記載の表示機器。
【発明の詳細な説明】
【技術分野】
【０００１】
本発明は、スクロール操作により文書等の表示対象データ全体を閲覧可能な、表示機器に関するものである。
【背景技術】
【０００２】
コンピュータのディスプレイが有する有効表示画面領域（物理画面）を超え、文書等の表示対象データを表示する場合、通常、有効表示画面領域の端にスクロールバー等を表示し、当該スクロールバーを操作することにより全文書を閲覧でき、また、全文書中の現在表示位置を容易に確認することができる。
なお、ここでは、ディスプレイに表示されるテキストや画像を総称して文書という。
【０００３】
スクロールバーを用いて文書を閲覧する場合、当該スクロールバーを表示させたい文書位置へ移動させるために、（１）移動方向を指示して現在の表示範囲を指示方向へ一定距離だけ移動させる、（２）移動方向を指示した現在の表示範囲を指示方向へ全データ範囲に対して一定割合移動させる、（３）表示対象データ全体における表示したい範囲の絶対位置（文書におけるページ数や、スクロールバーの位置）を指定する等、の方法が知られている。
【０００４】
しかしながら、（１）は、全体の移動距離に対して一回の移動量の設定が困難であり、（２）は、全体の移動量が状況によって大きく変動する場合には移動のために時間を要し、また、表示位置の細かな調整ができないという欠点がある。
更に、（３）によれば、ページ数の指定は移動する方向の指定に比べて直感的ではなく煩雑である。
また、スクロールバーの位置指定による移動は、その位置指定が容易なようにマウスやタッチパッドなど直感的に操作できるポインティングデバイスを要するといった欠点を有していた。
このため、実際にはこれらの方法を切替え、あるいは、移動量を可変にするなどの組み合わせにより所望のデータの表示を行っていた。
【０００５】
また、上記したスクロールバーの制御に関連して操作性の向上をはかるために従来から多数の技術が提案されている。
【０００６】
例えば、特定の操作に応じて表示範囲を拡大・縮小してスクロール操作を容易にするもの（例えば、特許文献１参照）、表示エリア内に設けられたスクロールバーを操作者の指示により自動的に移動させて表示データをスクロール表示するもの（例えば、特許文献２参照）、携帯電話の側面に設けられるジョグダイヤルにより候補文字のスクロール選択操作を行うもの（例えば、特許文献３参照）、等が知られている。
【特許文献１】特開２０００−３５３０４０号公報
【特許文献２】特開２００３−１５８５７号公報
【特許文献３】特開２００７−４３１５号公報
【発明の開示】
【発明が解決しようとする課題】
【０００７】
ところで、携帯電話のような小型の携帯表示機器ではマウスやタッチパッドなどの大きなポインティングデバイスを搭載すると、機器が大型化してしまい、また、これを携帯電話の操作部に割当てられた「上下左右キー」などで代替すれば、上記した（１）〜（３）で示した問題が発生する。特許文献１、特許文献２に開示された技術によっても同様である。
【０００８】
また、特許文献３には、側面ジョグダイヤルを操作してスクロール制御する記載があるが、これは、１個の文字キーに割当てられる複数の文字候補のうちの一つを選択操作するものであり、ここで意図している文書全体のスクロールとは異なる。
【０００９】
本発明の目的は、表示範囲（表示有効画面領域）を超える表示対象データを表示する際の操作性の向上をはかることが可能な表示機器を提供することにある。
【課題を解決するための手段】
【００１０】
本発明の表示機器は、表示対象データを表示画面に表示する表示部と、前記表示対象データのうち前記表示画面に表示された表示範囲が一部である場合に、前記表示対象データから前記表示範囲を選択操作する第１の操作部と、所定長さの移動可能範囲を移動可能であり、前記表示対象データから前記表示範囲を選択操作する第２の操作部と、前記第１の操作部の選択操作による前記表示範囲の移動と、前記第２の操作部の選択操作による前記表示範囲の移動とを連動させる制御部と、を備えている。
【００１１】
また、本発明の表示機器において、前記制御部は、前記第２の操作部の移動範囲における位置と、前記表示範囲の前記表示対象データにおける位置とが対応していない場合において、前記第２の操作部による移動操作により当該第２の操作部の移動操作位置が前記表示範囲の前記表示対象データにおける位置と対応した後、前記第２の操作部の移動操作に前記表示範囲の移動を連動させる制御を行ってもよい。
【００１２】
また、本発明の表示機器において、前記制御部は、前記第２の操作部の移動範囲における位置と、前記表示範囲の前記表示対象データにおける位置とが対応していない場合において、前記第２の操作部による移動操作により、当該第２の操作部の移動操作位置に前記表示範囲の位置を対応させる制御を行ってもよい。
【００１３】
また、本発明の表示機器において、第３の操作部を更に備え、前記制御部は、前記第２の操作部の移動範囲における位置と、前記表示範囲の前記表示対象データにおける位置とが対応していない場合において、前記第３の操作部による操作を検知すると、前記第２の操作部の移動操作位置に前記表示範囲の位置を対応させる制御を行ってもよい。
【００１４】
また、本発明の表示機器において、前記制御部は、前記第２の操作部の移動範囲における位置と、前記表示範囲の前記表示対象データにおける位置とが対応していない場合において、前記第１の操作部による選択操作を検知すると、前記表示範囲の位置に前記第２の操作部の移動操作位置を対応させる制御を行ってもよい。
【００１５】
また、本発明の表示機器において、前記制御部は、前記第２の操作部の移動範囲における位置と、前記表示範囲の前記表示対象データにおける位置とが対応していない場合において、前記第２の操作部による移動操作により、前記表示部に、前記第２の操作部による移動操作位置と前記表示範囲の位置との対応状態を示す案内表示を行ってもよい。
【００１６】
また、本発明の表示機器において、前記制御部は、前記第２の操作部の移動範囲における位置と前記表示範囲の前記表示対象データにおける位置とが対応していない場合に前記第２の操作部の移動操作位置に前記表示範囲の位置を対応させるにあたり、前記第２の操作部による移動操作に対する前記表示範囲の移動速度を反対方向に向かう移動操作に対する前記表示範囲の移動速度に比して高速に表示制御してもよい。
【発明の効果】
【００１７】
本発明の表示機器によれば、表示範囲（表示有効画面領域）を超える表示対象データを表示する際の操作性の向上をはかることができる。
【発明を実施するための最良の形態】
【００１８】
図１は、本発明の実施の形態に係る表示機器の外観構造の一例を示す図である。ここでは、携帯表示機器である折り畳み型の携帯電話１０を想定している。
【００１９】
図１に示されるように、携帯電話１０は、上部筐体１０１と、下部筐体１０２と、ヒンジ部１０３とを有する。
【００２０】
図１（ａ）は、携帯電話１０が開かれた状態（開状態）を示した図であり、図１（ｂ）は携帯電話１０が折り畳まれた状態（閉状態）を示した図である。
【００２１】
図１（ａ）に示されるように、上部筐体１０１には、図１（ｂ）に示す携帯電話１０の閉状態においては外部には露出しない一面に表示部１４が配置されている。
また、上部筐体１０１側面には、所定範囲の移動が可能であり、表示部１４に表示する表示対象データから表示範囲を選択操作するホーム位置へと復旧しない第２の操作部としてのスライダ１６が設けられている。
【００２２】
スライダ１６は、例えば、リニアポテンショメータ（半固定抵抗器）で形成され、下部筐体１０２側面の一部に実装される。
スライダ１６は、図中、円内に拡大して示されているように、スライダ本体１６０とスライド案内ガイド１６１とにより構成される。そして、可動電極としてのスライダ本体１６０は、両端に固定電極としてのストッパ１６１ａ、１６１ｂを有するスライド案内ガイド１６１に沿って移動が可能である。
２つの固定電極には基準電圧が供給されており、可動電極であるスライダ本体１６０の電圧を測定することによってスライダ１６の位置判定が可能である。
【００２３】
なお、後述するように、スライダ１６の略中央に、スライダ１６（スライダ本体１６０）の停止位置に応じて表示部１４の表示範囲の移動制御を行う位置合わせスイッチ１６２を実装してもよい。
また、後述する制御部１８による制御の下でスライダ１６を所定の位置に強制的に復帰させる不図示の駆動機構が付加されてもよい。詳細はいずれも後述する。
【００２４】
また、図１（ａ）に示されるように、下部筐体１０２には、図１（ｂ）に示す携帯電話１０の閉状態において外部には露出しない一面に操作部１２が配置されている。
【００２５】
ヒンジ部１０３は、上部筐体１０１と下部筐体１０２とを開閉し、図１（ａ）に示す携帯電話１０の開状態と図１（ｂ）に示す閉状態とを遷移可能とする回転軸を有するヒンジ機構である。
なお、携帯電話１０の開状態／閉状態は、後述する制御部１８により監視されており、制御部１８は携帯電話１０の閉状態を検出することが可能である。
具体的には、例えば上部筐体１０１に配置した図示しない突起部により、下部筐体１０２の図示しない検出スイッチが押しているか否かを制御部１８が監視することにより閉状態を検出している（すなわち検出スイッチが押下されていれば閉状態、そうでなければ開状態と判定）。
なお、開閉検出は、スイッチに限らず、各種センサであってもよい。
【００２６】
図２は、本発明の実施の形態に係る携帯表示機器（携帯電話１０）の電気系の内部構成を示すブロック図である。
【００２７】
図２に示されるように、携帯電話１０は、制御部１８を制御中枢とし、通信部１１、操作部１２（第１の操作部）、音声入出力部１３、表示部１４、撮像部１５、スライダ１６（第２の操作部）、記憶部１７、制御部１８のそれぞれが、アドレス、データ、コントロールのためのラインが複数本からなるシステムバス１９に共通に接続され、構成される。
【００２８】
通信部１１は、無線通信システムを捕捉し、通信ネットワークに接続される図示しない基地局との間で無線通信を行い、各種データの送受信を行う。
各種データとは、音声通話時の音声データ、メール送受信時のメールデータ、ウェブ閲覧時のウェブページデータ等である。
【００２９】
操作部１２は、例えば、電源キー、通話キー、数字キー、文字キー、方向キー（左右上下）、決定キー、発信キー、ファンクションキーなど、各種の機能が割り当てられたキーを有している。操作部１２は、これらのキーが操作者によって操作された場合に、その操作内容に対応する信号を発生し、これを操作者の指示として制御部１８に出力する。
なお、ここで、「方向キー」は、文書等の表示対象データのうち、表示部１４の表示有効画面に表示された表示範囲が一部である場合に、表示対象データから表示範囲を選択操作する第１の操作部として動作する。
【００３０】
音声入出力部１３は、スピーカから出力される音声信号やマイクロフォンにおいて入力される音声信号の入出力処理を行う。
すなわち、音声入出力部１３は、マイクロフォンから入力された音声を増幅し、アナログ−デジタル変換を行い、更に符号化等の信号処理を施し、デジタルの音声データに変換して制御部１８に出力する。
また、音声入出力部１３は、制御部１８から供給される音声データに復号化、デジタル−アナログ変換、増幅等の信号処理を施し、アナログの音声信号に変換してスピーカに出力する。
【００３１】
表示部１４は、多数の画素（複数色の発光素子の組み合わせ）を縦横に配して構成される、例えばＬＣＤ（Liquid Crystal Display Device）や有機ＥＬ（Electro-Luminescence）を用いて構成されており、制御部１８により生成され記憶部１７の所定の領域（ＶＲＡＭ領域）に書き込まれた文書等の表示対象データに応じた画像を表示する。
表示部１４は、例えば、通信部１１による無線発信時における発信先の電話番号、着信時における発信元の電話番号、受信メールや送信メールの内容、Ｗｅｂページ、日付、時刻、電池残量、発信成否、文書、待ち受け画面等を表示する。勿論、ここでいう文書も表示する。
【００３２】
撮像部１５は、ＣＣＤ(Charge Coupled Device)やＣＭＯＳ(Complementary Metal Oxide Semiconductor)イメージセンサ等の光電変換素子とその制御回路等により構成されるカメラである。
【００３３】
第２の操作部として設けられるスライダ１６は、図１に示したように、携帯電話１０の上部筐体１０１の側面に実装され、図中、矢印表記したように、上部筐体１０１の長手方向に所定範囲の移動操作が可能であり、第１の操作部としての「方向キー」同様、文書等の表示対象データから表示範囲を選択操作が可能であるが、構造上、自動でホーム位置への復旧ができないものとする。
【００３４】
記憶部１７は、携帯電話１０の各種処理に利用される各種データを記憶する。
記憶部１７は、例えば、制御部１８が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
なお、記憶部１７は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３５】
制御部１８は、携帯電話１０の全体的な動作を統括的に制御する。
すなわち、制御部１８は、携帯電話１０の各種処理（回線交換網を介して行われる音声通話、電子メールの作成と送受信、インターネットのＷｅｂ（World Wide Web）サイトの閲覧など）が操作部１２の操作に応じて適切な手順で実行されるように、上述した各ブロックの動作（通信部１１における信号の送受信、音声入出力部１３における音声入出力、表示部１４における画像の表示、撮像部１５における撮像処理等）を制御する。
制御部１８は、記憶部１７に格納されたプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１８は、記憶部１７に格納されるオペレーティングシステムやアプリケーションプログラム等のプログラムから命令コードを順次読み込んで処理を実行する。
【００３６】
制御部１８は、ここでは更に、操作部１２（の「方向キー」）の選択操作による表示範囲の移動と、スライダ１６の選択操作による表示範囲の移動とを連動させる機能を有する。
制御部１８は、スライダ１６の選択範囲における位置と、表示範囲の表示対象データにおける位置とが対応していない場合において、スライダ１６による選択操作により当該スライダ１６の位置が表示範囲の表示対象データにおける位置と対応した後、スライダ１６の選択操作に表示範囲の移動を連動させる制御を行う。詳細は後述する。
【００３７】
図３は、図２に示す制御部１８が実行するプログラムの構造を機能展開して示したブロック図である。
【００３８】
図３に示されるように、制御部１８（が実行するプログラム）は、主制御部１８０と、カーソル位置取得部１８１と、スライダ位置取得部１８２と、位置合わせスイッチ押下検出部１８３と、連動制御部１８４と、表示制御部１８５と、スライダ位置調整部１８６と、により構成される。
【００３９】
カーソル位置取得部１８１は、操作部１２に割当てられた「方向キー」の押下が検知されたときに主制御部１８０を介してポインタの位置データを取得し、連動制御部１８４に出力する。
【００４０】
スライダ位置取得部１８２は、携帯電話１０の下部筐体１０２側面に取り付けられたスライダ１６の選択操作に基づく位置データを、主制御部１８０を介して取得し、連動制御部１８４に出力する。
【００４１】
連動制御部１８４は、操作部１２（の「方向キー」）の操作による表示範囲の移動と、スライダ１６の選択操作による表示範囲の移動とを連動させる機能を有する。
連動制御部１８４は、スライダ１６の位置と、表示範囲における表示対象データの位置とが対応していない場合において、スライダ１６による選択操作による当該スライダ１６の位置が、表示範囲の表示対象データにおける位置と対応した後に、スライダ１６の選択操作に表示範囲の移動を連動させる制御を行う。
【００４２】
また、連動制御部１８４は、スライダ１６の位置と、表示部１４の表示範囲の表示対象データにおける位置とが対応していない場合において、スライダ１６による移動操作によるスライダ１６の位置に表示範囲の位置を対応させる制御を行ってもよい。
また、連動制御部１８４は、スライダ１６の位置と、表示部１４の表示範囲の表示対象データにおける位置とが対応していない場合において、例えば、スライダ１６の略中央に設けられる第３の操作部としての位置合わせスイッチ１６２による操作を、位置合わせスイッチ押下検出部１８３が検知することで、スライダ１６の停止位置に表示部１４の表示範囲の位置を対応させる制御を行ってもよい。
【００４３】
また、連動制御部１８４は、スライダ１６の位置と、表示範囲の表示対象データにおける位置とが対応していない場合において、操作部１２（の「方向キー」）による選択操作を検知すると、表示範囲の位置にスライダ１６の位置を対応させる制御も行ってもよい。このとき、連動制御部１８４は、スライダ位置調整部１８６を制御してスライダ１６を駆動し、その停止位置を強制的に移動させる。詳細は後述する。
また、連動制御部１８４は、スライダ１６の位置と、表示範囲の表示対象データにおける位置とが対応していない場合において、スライダ１６による移動操作により、表示部１４に、スライダ１６の位置と表示範囲の位置との対応状態を示す案内表示を行ってもよい。
【００４４】
表示制御部１８５は、スライダ１６の位置と表示範囲の表示対象データにおける位置とが対応していない場合、連動制御部１８４によりスライダ１６の位置に表示範囲の位置を対応させるにあたり、スライダ１６による移動操作に対する表示範囲の移動速度を反対方向に向かう移動操作に対する表示範囲の移動速度に比して高速に表示制御する。
表示制御部１８５はまた、主制御部１８０を介し、記憶部１７のＶＲＡＭ領域に書き込まれた表示対象データを表示部１４の表示タイミングに同期して読出し、表示部１４の表示画面に表示するための制御を行う。
【００４５】
なお、主制御部１８０は、上記した通信部１１、操作部１２、音声入出力部１３、表示部１４、撮像部１５、スライダ１６、記憶部１７等周辺制御ブロックとのインタフェースを司る。
主制御部１８０は、インタフェースを司る他、スライダ１６の選択範囲における位置と、表示範囲の表示対象データにおける位置とが対応していない場合において、スライダ１６による選択操作により当該スライダ１６の位置が表示範囲の表示対象データにおける位置と対応した後、スライダ１６の選択操作に表示範囲の移動を連動させる制御部１８としての制御中枢として動作する。
このために、出制御部１８０は、カーソル位置取得部１８１と、スライダ位置取得部１８２と、位置合わせスイッチ押下検知部１８３と、連動制御部１８４と、表示制御部１８５と、スライダ位置調整部１８６との間のデータの引渡し等に関するシーケンス制御を行う。
【００４６】
図４は、本発明の実施の形態に係る携帯表示機器の表示動作を示すフローチャートである。
以下、図４のフローチャートを参照しながら、図１〜図３に示す本発明の実施の形態に係る携帯表示機器の表示動作について詳細に説明する。
【００４７】
図４のフローチャートにおいて、携帯電話１０（の制御部１８）は、まず、連動制御部１８４にて、スライダ１６の現在停止位置と、表示部１４の表示画面の端に表示されたスクロールバーのカーソル位置とを比較する（ステップＳ４０１）。
この比較は、カーソル位置取得部１８１が取得した「方向キー」によるカーソル位置と、スライダ位置取得部１８２が取得したスライダ１６の現在停止位置とを連動制御部１８４が比較することにより実現される。
ここで、両者が一致した場合（ステップＳ４０１“Ｙｅｓ”）、すなわち、スライダ１６が示す表示範囲とスクロールバーが示す表示範囲とが一致した場合、主制御部１８０は、「方向キー」入力の有無を判定し（ステップＳ４０２）、「方向キー」入力がなかった場合（ステップＳ４０２“Ｎｏ”）、更に、スライダ１６による移動操作の有無を判定する（ステップＳ４０３）。
【００４８】
スライダ位置取得部１８２でスライダ１６の移動が検知されると（ステップＳ４０４）、連動制御部１８４は、表示制御部１８５を介し、そのスライダ１６の停止位置に応じて表示部１４表示画面に表示される文書の表示範囲を移動させる（ステップＳ４０５）。
【００４９】
なお、スライダ１６による表示範囲の移動は、操作部１２のキー操作による移動の指示があるまで継続して行われる（ステップＳ４０２“Ｙｅｓ”、Ｓ４０６、Ｓ４０７）。
なお、方向キー入力による移動への切替えは、スライダ１６の停止位置と、操作部１２の「方向キー」の位置に不一致が発生したことを契機に行われる（ステップＳ４１３、ステップＳ４１６〜Ｓ４１８）。
【００５０】
一方、スライダ１６と、操作部１２の「方向キー」による位置が一致しない場合（ステップＳ４０１“Ｎｏ”）、連動制御部１８４は、操作部１２の「方向キー」による入力のみを受付け、操作部１２の「方向キー」押下検知により（ステップＳ４０８“Ｙｅｓ”）、表示部１４の表示画面に表示された文書の表示範囲を移動させることができる（ステップＳ４０９、Ｓ４１０）。
なお、「方向キー」押下検知による表示範囲の移動は、スライダ１６による移動操作が行われるまでの間継続し、スライダ１６による移動操作が行われると（ステップＳ４１１“Ｙｅｓ”）、スライダ１６の位置検出が行われ（ステップＳ４１２）、現在のスライダ位置に応じた表示範囲の移動制御が行われる。
【００５１】
なお、スライダ１６による表示範囲の移動に切替える操作は、スライダ１６の移動操作を行う他に、操作部１２に配置されたキーの一つに特定キーを割当て、この特定キーを押下するか、あるいは、連動制御部１８４がスライダ１６と「方向キー」の位置が重なったことを検知したときに自動的に切替えてもよい（ステップＳ４１４、Ｓ４１５）。
【００５２】
上記した本発明の実施の形態に係る携帯表示機器によれば、表示範囲の移動にスライダ１６を使用することで容易に表示範囲を選択でき、また、スライダ１６の位置と、表示対象データにおける表示範囲の位置とが対応してから連動を開始することから、元のスライダ１６の位置と元の表示対象における表示範囲の位置とが大きく乖離している場合にスライダ１６を誤って移動させてしまった場合でも元の表示範囲を見失うことを抑制できる。
【００５３】
以下、上記した本発明の実施の形態に係る携帯表示機器の変形例について説明する。
一つは、スライダ１６の位置とスクロールバー（表示範囲の表示対象データにおける位置）とが対応していない場合、「方向キー」が示す表示位置に近づけるスライダ１６の移動操作に対してはスクロールバーの移動速度を低速に、反対方向へのスライダ１６の移動操作に対してはスクロールバーの移動を高速に制御するものであり、この場合、使い勝手を向上させることができる。
このため、表示制御部１８５は、連動制御部１８４によりスライダ１６の停止位置にスクロールバー（表示範囲の位置）を対応させるにあたり、スライダ１６の移動操作に対するスクロールバーの移動速度を反対方向に向かう移動操作に対する移動速度に比して高速に表示制御する必要がある。
【００５４】
図５は、スライダ１６の停止位置とスクロールバーとの位置対応関係を模式的に示した図である。
【００５５】
具体的に、図５において、スライダ１６と表示部１４の表示画面におけるスクロールバーの表示範囲の位置が一致している場合（位置ｃ＝位置ｄ）、連動制御部１８４は、表示制御部１８５を制御して、スライダ１６とスクロールバーによる表示範囲の移動量を同じ割合で移動させるように制御する。
また、スライダ１６と表示部１４の表示範囲の位置が異なる場合、連動制御部１８４は、合流目標点ｂを設定し（合流目標点ｂの位置は、ｃから一定とするか、あるいはａと同一とする等、ケースによって可変としてもよい）、スライダ１６を移動させた場合に、スライダの移動量と「方向キー」の移動量との関係を、「ｂ−ｄ間距離＝ｂ−ｃ間距離」となるように表示制御部１８５を制御してスクロール表示を行う。この間の移動速度は一定でなくてもよい。
このような制御を行う場合、スライダ１６は、両方向（「方向キー」が示す位置に近づけるか遠ざける）への余地を与えるため両端に一定の間隔を設けることが望ましい。
【００５６】
また、操作部１２の「方向キー」とスライダ１６とは別に、第３の操作部としての位置合わせスイッチ１６２を付加し、この位置合わせスイッチ１６２の押下を検出することでスライダ１６の停止位置に応じて表示部１４の表示範囲の移動制御を強制的に行えば、１操作で表示したい表示範囲への移動が可能になる。
連動制御部１８４は、スライダ１６の停止位置と、表示範囲の表示対象データにおける位置とが対応していない場合に、位置合わせスイッチ１６２の操作を検知すると、表示制御部１８５によりスライダ１６の停止位置に表示範囲の位置を対応させる制御を行う。このことにより更なる使い勝手の向上をはかることができる。なお、このとき、表示制御部１８５は、スクロールによる移動のほかに、瞬時に画面を切り替えてもよい。
【００５７】
なお、上記した位置合わせスイッチ１６２は、図１で説明したように、操作性を考え、スライダ１６の略中央部にスイッチの形態で実装されるのが好ましい。勿論、スライダ１６に実装するのは必須ではなく、携帯電話１０の上部筐体１０１、下部筐体１０２のいずれかに個別に実装してもよく、その実装形態に制限はない。
【００５８】
また、「方向キー」（あるいは「ページ送りキー」）で文書の表示位置を変更した場合に、スライダ１６の停止位置を強制的に移動制御することも考えられる。
この場合、スライダ１６には、制御部１８（スライダ位置調整部１８６）により、スライダ１６の停止位置を所定の位置に強制的に復帰させる、例えば、ステップモータ等による駆動機構が備わっている必要がある。
また、連動制御部１８４は、スライダの位置と表示範囲の表示対象データにおける位置とが対応していない場合において、「方向キー」あるいは「ページ送りキー」による選択操作を検知するとスライダ位置調整部１８６を制御する。
スライダ位置調整部１８６は、スライダ１６に付加された不図示のスライダ駆動機構を制御し、表示範囲が示す位置にスライダ１６の停止位置を強制的に対応させる制御を行う。
【００５９】
なお、指や物体でスライダ１６の動作を抑止する等の外的要因により、スライダ１６を即時に移動できなかった場合は、機構的な破損が想定されるため、スライダ１６の移動は中止し、それ以降に何らかのキー操作を検知したときに再度試行してもよい。
【００６０】
また、スライダ１６の停止位置と表示範囲とが不一致の状態でスライダ１６を動作させた場合に、スライダ１６をいずれの方向に移動させれば一致するかを示す案内を表示部１４にポップアップ表示してもよい。
この場合、スライダ１６の停止位置と、表示範囲の表示対象データにおける位置とが対応していない場合において、表示制御部１８５は、スライダ１６による移動操作により、表示部１４に、スライダ１６による移動操作位置と表示範囲の位置との対応状態を示す案内表示を行う。
ポップアップには現在のスライダ停止位置を上下いずれの方向に操作すれば表示位置が一致するかを表示し、スライダ１６を操作して表示位置が一致した場合には、それ以降、スライダ１６と表示範囲が連動して表示されるように、例えば、スクロールバー上にスライダ１６の停止位置を示すアイコンを重ね合わせ表示することが考えられる。
【００６１】
なお、スライダ１６を表示位置まで操作させることなく、「方向キー」によるキー操作が行われた場合には、上記したポップアップを非表示にし、キー操作による入力を反映させるものとする。
【００６２】
なお、上記した本発明の実施の形態に係る携帯表示機器において、スライダ１６としてリニアポテンショメータを用い、電気的に停止位置を検知することとして説明したが、他に、機械的、あるいは光学的に検知する代替手段を用いてもよい。
また、上記した本発明の実施の形態に係る携帯表示機器として携帯電話１０を例示したが、携帯電話１０に限らず、ＰＤＡ（Personal Digital Assistants）、やゲーム機等にも同様に適用が可能である。
【００６３】
また、本発明の実施の形態に係る携帯表示機器が有する各構成ブロックの機能は、全てをソフトウェアによって実現しても、あるいはその少なくとも一部をハードウェアで実現してもよい。例えば、制御部１８を構成する、主制御部１８０、カーソル位置取得部１８１、スライダ位置取得部１８２、位置合わせキー押下検知部１８３、連動制御部１８４、表示制御部１８５、スライダ位置調整部１８６におけるデータ処理は、１または複数のプログラムによりコンピュータ上で実現してもよく、また、その少なくとも一部をハードウェアで実現してもよい。
【図面の簡単な説明】
【００６４】
【図１】本発明の実施の形態に係る携帯表示機器の外観構造の一例を示す図である。
【図２】本発明の実施の形態に係る携帯表示機器の電気系の内部構成を示すブロック図である。
【図３】図２に示す制御部１８が実行するプログラムの構造を機能展開して示したブロック図である。
【図４】本発明の実施の形態に係る携帯表示機器の表示動作を示すフローチャートである。
【図５】本発明の実施の形態に係る携帯表示機器の動作を説明するために示した図であり、スライダの停止位置とスクロールバーとの位置対応関係を模式的に示した図である。
【符号の説明】
【００６５】
１０…携帯電話、１１…通信部、１２…操作部（第１の操作部）、１３…音声入出力部、１４…表示部、１５…撮像部、１６…スライダ（第２の操作部）、１７…記憶部、１８…制御部、１６０…スライダ本体、１６１…スライド案内ガイド、１６２…位置合わせスイッチ（第３の操作部）、１８０…主制御部、１８１…カーソル位置取得部、１８２…スライダ位置取得部、１８３…位置合わせスイッチ押下検知部、１８４…連動制御部、１８５…表示制御部、１８６…スライダ位置調整部。
【図１】
2009237681.tif 000003
【図２】
2009237681.tif 000004
【図３】
2009237681.tif 000005
【図４】
2009237681.tif 000006
【図５】
2009237681.tif 000007